(57)【特許請求の範囲】
【請求項１】
複数の遊技機と、該複数の遊技機に対応する遊技用装置と、が列設される遊技島台であって、
前記遊技島台内には、
各遊技機に遊技玉を供給するための供給樋と、
前記各遊技機より排出された遊技玉を回収する回収樋と、
前記回収した遊技玉を揚送するとともに、揚送した遊技玉を前記供給樋に排出する揚送玉排出口を有する揚送装置と、
を備え、
前記供給樋は、
前記揚送装置側を傾斜上位側とし、反対方向に向かって下方に傾斜するように配置され、前記傾斜上位側に前記揚送玉排出口が設けられるとともに、遊技玉が流下する底面の長手方向に沿って、遊技玉を前記底面から鉛直下方に落下させるための複数の開口が形成された上部供給樋と、
前記上部供給樋の鉛直下方に該上部供給樋と重なるように配置され、前記揚送装置側を傾斜上位側とし、反対方向に向かって下方に傾斜する中間供給樋と、
前記中間供給樋の下方に配置され、前記上部供給樋及び前記中間供給樋の傾斜下位側を傾斜上位側とし、前記上部供給樋及び前記中間供給樋の傾斜下位側からの遊技玉を前記揚送装置側に向かって流下させるように下方に傾斜する下部供給樋と、
により略「く」の字状に形成され、
前記遊技機に連通する供給口及び前記遊技用装置に連通する供給口が、前記上部供給樋と前記下部供給樋とに振り分けて配設され、前記中間供給樋には配設されていないことを特徴とする遊技島台。
【発明の詳細な説明】
【０００１】
【発明の属する技術分野】
本発明は、複数の遊技機が列設されてなる遊技島台に係わり、特に各遊技機や遊技用装置に供給する遊技玉の供給装置に関する。
【０００２】
【従来の技術】
従来、複数の遊技機が列設されてなる遊技島台としては、例えば図２０に示されるような遊技機としてのパチンコ機が列設されたパチンコ島台０１等がある。このパチンコ島台０１におけるパチンコ玉の循環経路を簡単に説明すると、パチンコ島台０１内上部には、各パチンコ機０２２や、その間に介装された台間玉貸機０３にパチンコ玉を配給するための供給樋０９４が設けられており、パチンコ玉は該供給樋０９４に形成された遊技機用供給口０３３、玉貸機用供給口０３４を介して前記各パチンコ機０２や台間玉貸機０３等に配給されるようになっている。尚、０１４は上皿、０１５は下皿、０１６はハンドルをそれぞれ示している。
【０００３】
パチンコ島台０１内の一端側下部には、各パチンコ機０２から排出されるパチンコ玉を回収する回収樋０９５の傾斜下位側に連通する揚送装置０２４が配設されており、該揚送装置０２４の上部には、上端が前記供給樋０９４に連通する揚送樋０２２が立設されている。こうしてパチンコ機０２より排出されるパチンコ玉は、回収樋０９５により揚送装置０２４に回収された後、該揚送装置０２４の駆動により揚送樋０２２を介して揚送され、供給樋０９４に還元されるようになっている。
【０００４】
【発明が解決しようとする課題】
しかしながら、このような遊技島台にあっては、前記パチンコ機用供給口０３３、玉貸機用供給口０３４を介して前記各パチンコ機０２や台間玉貸機０３等にパチンコ玉をスムーズに供給するには、各供給口近傍に十分な整流スペースを確保する必要があり、このスペースを確保しようとすると供給樋の側面左右方向に配設できる供給口の数が限られてしまうといった問題があった。
【０００５】
また、１台のパチンコ機に必要な供給口を複数必要とする場合、複数の供給口が左右方向に広がって各供給口より延設される供給管等をより長くしななければ届かなくなるため、パチンコ島台内のメンテナンスが煩雑になる恐れがあった。
【０００６】
さらに一本の供給樋に形成された多数の供給口から多量のパチンコ玉を流下させると、所定の供給口への玉の流れに不足が生じる可能性もある。
【０００７】
本発明は、このような問題点に着目してなされたもので、遊技島台内に配設される複数の遊技機や遊技用装置に対して、供給樋よりそれぞれの供給口を介してパチンコ玉を確実に供給することが出来る遊技島台を提供することを目的としている。
【０００８】
【課題を解決するための手段】
上記の目的を達成するための本発明の遊技島台は、
複数の遊技機と、該複数の遊技機に対応する遊技用装置と、が列設される遊技島台であって、
前記遊技島台内には、
各遊技機に遊技玉を供給するための供給樋と、
前記各遊技機より排出された遊技玉を回収する回収樋と、
前記回収した遊技玉を揚送するとともに、揚送した遊技玉を前記供給樋に排出する揚送玉排出口を有する揚送装置と、
を備え、
前記供給樋は、
前記揚送装置側を傾斜上位側とし、反対方向に向かって下方に傾斜するように配置され、前記傾斜上位側に前記揚送玉排出口が設けられるとともに、遊技玉が流下する底面の長手方向に沿って、遊技玉を前記底面から鉛直下方に落下させるための複数の開口が形成された上部供給樋と、
前記上部供給樋の鉛直下方に該上部供給樋と重なるように配置され、前記揚送装置側を傾斜上位側とし、反対方向に向かって下方に傾斜する中間供給樋と、
前記中間供給樋の下方に配置され、前記上部供給樋及び前記中間供給樋の傾斜下位側を傾斜上位側とし、前記上部供給樋及び前記中間供給樋の傾斜下位側からの遊技玉を前記揚送装置側に向かって流下させるように下方に傾斜する下部供給樋と、
により略「く」の字状に形成され、
前記遊技機に連通する供給口及び前記遊技用装置に連通する供給口が、前記上部供給樋と前記下部供給樋とに振り分けて配設され、前記中間供給樋には配設されていないことを特徴としている。
この特徴によれば、供給樋に各遊技機や遊技用装置（例えば玉貸機、払出装置等）に連通する供給口を必要に応じて多数設けられるとともに、多くの遊技機や遊技用装置に十分な玉の供給が可能となる。また、左右方向同位置において供給口を複数設けることが出来るため、個々の供給口近傍に必要な整流スペースを左右方向に十分にとることが出来るようになり、各遊技機や遊技用装置にスムーズに遊技玉を供給出来る。
【００１１】
【発明の実施の形態】
以下、本発明の実施形態を図面に基づいて説明していくと、まず図１には本発明の適用された遊技島台としてのパチンコ島台１が示されている。前記パチンコ島台１の前後面（後面は図示せず）は該パチンコ台１内下部を覆う腰板７と、該腰板７上に列設される遊技機としてのパチンコ機２、及びパチンコ機２の隣に設けられる玉貸機３と、パチンコ島台１内の上部を覆う幕板６ａ、６ｂ等とから構成され、側面は、前面に後述する供給樋２１に連通するあふれ玉通路１０が固設される支持板９により構成されている。
【００１２】
本実施の形態におけるパチンコ島台１は、前後面にそれぞれ２機ずつのパチンコ機２と玉貸機３が列設され、内部にはこれらパチンコ機２を稼動させるべく必要なパチンコ玉や適宜装置等が全て収容されている１つの独立したパチンコ島台を構成しており、これら個々のパチンコ島台１を左右方向に複数連結し、長いパチンコ島台を形成することが出来るようになっている。この時、各パチンコ島台１内の配線は、支持板９上部に形成された開口１３を介して容易に接続出来るようになっている。
【００１３】
前記パチンコ機２の下部前面には、図１〜図３に示すように、遊技者に対して払い出されるパチンコ玉を一時的に貯留し、ハンドル１６の操作により作動する打球発射装置（図示略）にパチンコ玉を導く上皿１４と、該上皿１４よりオーバーフローするパチンコ玉を貯留出来る下皿１５とが突設されている。
【００１４】
前記下皿１５の下方には、玉計数装置４の一部を構成する玉受皿５が、該下皿１５に設けられた排出口（図示せず）を下から覆うように固設されている。玉受皿５は上面が開口する箱体であり、該玉受皿５内より排出されるパチンコ玉は図１０に示されるようにパチンコ島台１の下部に左右方向に配設される第１回収樋４１に導かれるようになっている。そしてこの玉受皿５から第１回収樋４１の途中適宜箇所には、返却されるパチンコ玉数を計数するための計数器（図示略）が設けられている。
【００１５】
図１の前記玉計数装置４の前面に形成される１０３は、各パチンコ機２に対応して腰板７に形成される玉受収納部１１内に載置される玉受用コップ１２内に遊技者が所望するパチンコ玉を払出させるための払出ボタンであり、１０４は前記払出可能なパチンコ玉が存在する時に点灯表示するＬＥＤランプである。なお、前記玉計数装置４は、１台のパチンコ機２に対して１台設けられているが、これに限らず例えば２台のパチンコ機２に対して１台というように複数台のパチンコ機２に対して１台が設けられるようにしてもよい。
【００１６】
前記幕板６ａ、６ｂは、特に図２に示されるように前方に開放可能に設けられており、幕板を開放することにより、後述する供給樋部２１内、及びこの供給樋部２１の側部に形成される供給口２７、３３、３４より連結される配送管２８、供給管２９、３０内において発生する玉詰りや、内部の適宜制御装置等のメンテナンスを外部より行えるようになっている。
【００１７】
幕板６ｂ前面には、適宜情報の表示が可能な情報表示装置８と、該情報表示装置８の下方に位置し、主に前記玉計数装置４より返却される玉数等を含め、遊技者の獲得玉数等を表示する計数玉数表示器１８とが設けられている。また、前記計数玉数表示器１８の隣には、離席ボタン１００、精算ボタン１０１、精算端玉ボタン１０２がそれぞれ設けられているとともに、２機のパチンコ機２の中間位置にカード挿入排出口１７が形成されている。尚、前記カード挿入排出口１７裏面には、適宜情報記録媒体としての磁気カードへの情報の記録が可能なカードリードライタ１９が配設されている。
【００１８】
ここで、本実施の形態におけるパチンコ島台１における遊技方法を簡単に説明する。まず遊技者は現金又はカード等を用いて玉貸機３よりパチンコ玉を購入し、遊技が出来るようになっている。遊技中、大当り等の発生により払い出されたパチンコ玉は一時的に玉計数装置４の玉受皿５等に貯留出来、さらに多くの払出があれば、玉受皿５内のパチンコ玉を一時的に島台内に返却できるようになっている。ここで返却されたパチンコ玉数は計数玉数表示器１８及び情報表示装置８等に表示されるようになっており、遊技中にパチンコ玉がなくなり、一度返却したパチンコ玉、即ち計数玉数表示器１８に表示されている数値分のパチンコ玉を再びパチンコ玉に変換する場合、払出ボタン１０３を押圧すれば、払出装置５０により玉受用コップ１２内に適宜量のパチンコ玉が払出されるようになっている。
【００１９】
次に、遊技を一時的に中断する際に、計数玉数表示器１８に適宜玉数が表示されている場合、遊技者は自分の磁気カードをカード挿入排出口１７に挿入し、離席ボタン１０１を押圧すれば、表示された玉数がカードリードライタ１９により記録されるとともに、再び同一の（自分の）磁気カードが挿入されるまでその玉数が保持されるようになっている。よって他人に持ち玉を奪われることがない。また、磁気カードがない時には、新規の磁気カードがカードリードライタ１９内より供給される。
【００２０】
そして遊技を終了する場合は、精算ボタン１０１及び精算端玉ボタン１０２を押圧し、表示された玉数磁気カードに記録させ、その磁気カードを景品カウンタに持っていき、景品に換えればよい。尚、精算端玉ボタン１０２を選択した場合、端玉は玉受用コップ１２内に自動的に払出されるようになっている。
【００２１】
次に、図４、図５に示されるように、パチンコ島台１の上部には、左右方向に延びる供給樋部２１が配設されており、各パチンコ機２、玉貸機３及び玉受用コップ１２にパチンコ玉を配給するためのパチンコ玉が貯留されるようになっている。パチンコ島台１の下部には、各パチンコ機２の裏面下部より排出されるアウト玉をアウト玉タンク３１、及びアウト玉誘導管３２を介して排出されるアウト玉、及び玉計数装置４より返却される返却玉を回収する回収樋部２３が配設されている。
【００２２】
前記回収樋部２３の傾斜下位側には、該回収樋部２３により回収されたパチンコ玉を内部の第１揚送モータ２５を介して上方に揚送する揚送装置２４が設けられており、該揚送装置２４の上方からは、上端が図８（Ａ）（Ｂ）に示されるように揚送玉排出口６２を介して供給樋部２１内に連通する揚送樋２２が延設されている。前記揚送樋２２は特に図１４に示されるように、内部に複数本、例えば４本の中空路の形成された外面部材８２と、該中空路内周面に嵌装されたテフロン又はナイロン製等、潤滑性を有する内面部材８３とから構成されている。この構造は、前記中空路内を通過するパチンコ玉の通りを滑らかにし、玉詰り等の発生を防止する役目をなしている。
【００２３】
前記揚送樋２２の途中には、図１２に示されるような玉磨装置２６が設けられている。玉磨装置２６には、リールに巻回された研磨紙７１を揚送樋２２に取付けられた取付板７９に着脱自在に設けられる玉磨ユニット６９と、前記第１揚送モータ２５に連動する第２揚送モータ３６と、前記第２揚送モータ３６の駆動により回転し、パチンコ玉を送り出すスプロケット７０とから構成される。前記取付板２２内には、略Ｓ字状の玉誘導部７７、７８が形成され、前記スプロケット７０のギヤ間に介在するパチンコ玉に対して前記研磨紙７１を押圧してパチンコ玉が研磨されるようになっている。
【００２４】
前記研磨紙７１は、ガイド用のローラ７３を介して一定区間パチンコ玉に押圧されるようになっており、送り出し用のローラ７２、７４を介して送り出されるようになっている。このローラ７２、７４は、前記スプロケット７０と適宜減速機構を介して連動されており、研磨紙７１はパチンコ玉の進行速度よりも極めて低速でリールに巻回され、研磨紙７１とパチンコ玉とが適宜摩擦されつつ、パチンコ玉は順次新しい研磨紙７１により自動的に研磨されるようになっている。
【００２５】
尚、５７は玉磨ユニット６９の着脱を検知するマイクロスイッチで、５８は送りリールに巻回された研磨紙７１の量を検知するマイクロスイッチである。このマイクロスイッチ５７は、玉磨ユニット６９がはずされた時ＯＦＦとなり、マイクロスイッチ５８は研磨紙７１の残量がある場合はＯＮとなり、残量が少なくなるか、あるいは玉磨ユニット６９がはずされた時ＯＦＦとなる。このマイクロスイッチがＯＦＦの時、揚送モータ３６は作動しないようになっている。また、これに限らずマイクロスイッチ５８のみとしてもよい。また、検出器自体はフォトスイッチなどなんでもよい。ただし本実施形態においては、２つの検出器が付けられているので、いずれか一方の検出器が故障して誤検知した場合に、誤検知かどうか他方が正常に検知するので分かりやすい。なお、７５は玉がみを防止するローラ、７６は停止時のパチンコ玉の逆流を防止するストッパーである。
【００２６】
供給樋部２１は、特に図８（Ａ）（Ｂ）に示されるように、側面略「く」の字状に形成され、揚送樋２２側を傾斜上位側とし、反対方向に向って互いに平行を保ちながら下方に傾斜する第１、第２供給樋３７、３８と、該第１、第２供給樋３７、３８の傾斜下位側を傾斜上位側とし、上下に階層状態に設けられる第３供給樋３９とからなる。前記第１供給樋３７の傾斜上位側には、前述したように揚送樋２２の上端と連通する揚送玉排出口６２が設けられており、揚送樋２２よりパチンコ玉が補給されるようになっている。
【００２７】
前記揚送玉排出口６２より補給されるパチンコ玉は、図８（Ａ）（Ｂ）及び図９に示されるように、誘導板６５及び傾斜板６４を介して一旦あふれ玉通路１０に連通するあふれ玉入口６３方向に向うようになっている。このようにすることで、第１供給樋３７の傾斜上位側にまでパチンコ玉が充満されている時、揚送樋２２によりパチンコ玉が供給されて詰っても、余分なパチンコ玉がスムーズにオーバーフローされ、第１、第２揚送モーター２５、３６に負担がかからないようになっている。
【００２８】
前記第１供給樋３７の両側部には、図４及び図５に示されるように、配送管２８、払出装置５０及び玉誘導路５１を介して玉受収納部１１に連通する供給口２７が形成されている。前記配送管２８内は、図１５に示されるように、内部に螺旋状に凸条８４が形成された透明な合成樹脂材からなるパイプ８５からなり、玉詰りを外部から容易に確認できるようになっている。また、第１供給樋３７底面には、特に図９に示されるように、複数の開口４０が形成されており、適宜量のパチンコ玉が流下途中で下方にある第２供給樋３８に落下されるようになっている。尚、５３、５４はそれぞれの供給樋３７、３８内のパチンコ玉量を検出する検出器である。
【００２９】
第３供給樋３９の両側部には、供給管２９及びその下端に設けられる供給玉数検出器３５を介して各パチンコ機２に連通する供給口３３と、供給管３０を介して各玉貸機３に連通する供給口３４とが形成されている。この第３供給樋３９の傾斜下位側は前記あふれ玉入口６３の下方位置に形成される開口６６を介してあふれ玉通路１０に連通されているが、通常は仕切板６７により連通が遮断されている。
【００３０】
回収樋部２３は、図１０、図１１に示されるように、各アウト玉タンク３１及び玉計数装置４から排出されるパチンコ玉を直接受ける第１回収樋４１と、第１回収樋４１の傾斜下位側より逆方向に下方に傾斜し、開口６８により第１回収樋４１と連通する第２回収樋４２と、該第２回収樋４２の下方において、同方向に傾斜し、第２回収樋４２に形成される開口４６より下方に落下されるパチンコ玉、又は第４回収樋からのパチンコ玉を受ける第５回収樋４５と、玉排出口４８を介してあふれ玉通路１０に連設する第３回収樋４３と、該第３回収樋４３より連設され、第２回収樋４２と第３回収樋４３を転がり落ちるパチンコ玉を受ける第４回収樋４４とから構成される。尚、５５、５６は玉量検出器である。
【００３１】
前記玉排出口４８には、図１３（Ａ）（Ｂ）に示されるように、自動又は手動による操作可能な流下切換部材８０が回転軸８１により枢着されており、あふれ玉通路１０内を落下するパチンコ玉を前記第３回収樋４３又は外部に連通する適宜箇所（例えば腰板７の下方）に形成される玉抜用玉排出口４９に振り分けることができるようになっている。
【００３２】
このように、本実施の形態におけるパチンコ島台１においては、パチンコ機２、又は玉計数装置４より排出されるパチンコ玉は、回収樋部２３を介して揚送装置２４などにより、供給樋部２１内の第１供給樋３７内に再び還元されるようになっている。そして前述のように回収樋部２３、供給樋部２１は、それぞれ上下に階層される複数の樋により構成されるため、供給樋に各遊技機や遊技用装置（玉貸機、払出装置等）に連通する供給口を複数設けることが出来、より多くの遊技用装置の設置が可能となる。また、左右方向同位置において供給口を上下に複数設けることが出来るため、個々の供給口近傍に必要な整流スペースを左右方向に十分にとることが出来るようになり、各遊技機や遊技用装置にスムーズに遊技玉を供給出来る。
【００３３】
さらに、パチンコ機２のように特により多くのパチンコ玉を要する遊技機の供給口を、各樋の下流側かつ最下段にある樋に設けることで、パチンコ玉が不足することなくより確実に供給されるようになる。尚、これら供給口は、複数のいずれの供給樋の所望の箇所に複数設けることが可能である。
【００３４】
また、供給樋を複数設けることでパチンコ島台１の内部にタンク等で別途設けることなく、より多くのパチンコ玉を貯留させることができる。特に、各パチンコ機２、玉貸機３、玉受用コップ１２へのパチンコ玉の供給が必要な供給樋部２１内により多くのパチンコ玉をその傾斜により流動的に貯留させておくことが可能となるため、揚送速度を早めることなく確実にパチンコ玉を各遊技機や遊技用装置に供給できる。
【００３５】
また、図８（Ｂ）に示されるように、供給時において、通常パチンコ玉は第３供給樋３９内のパチンコ玉のように単層で傾斜下位側より貯留されていくが、上方の樋に開口４０を設けることで１つの樋上にパチンコ玉を何層にも重ねて各樋毎の貯留量を増加させることができる。また、前記開口４０は、各樋の流下方向に複数穿設され、パチンコ玉が平均的に各樋内に落下されるため、所定箇所のみに集中して玉詰りが発生するといった事態が回避される。
【００３６】
尚、図６に示されるように前記各樋に設けられた検出器５３〜５８により検出された情報は、検出回路５９を介して揚送玉磨制御マイクロコンピュータ６０に集められるようになっており、通信回路６２を介して種々の稼動状況等がホールコンピュータ等に送信されるとともに、駆動回路６１により第１、第２揚送モータ２５、３６等を自動制御出来るようになっている。これらの回路またはマイクロコンピュータを含む揚送装置制御基板５２は、揚送装置２４に設けられている。
【００３７】
また、前記揚送玉磨制御マイクロコンピュータの制御は、図７に示されるフローチャート図のようになっており、各樋部２１、２２内の玉量又は玉磨装置２６内の研磨紙７１等の残量等、種々の情報に応じて揚送装置２４を作動、停止させるようになっている。
【００３８】
次に、図１６には、本発明の第２の実施形態としての供給樋部２１が示されている。このように本発明においては、第１供給樋８６の下方に同方向に傾斜する供給樋を設けずに、逆方向に傾斜する第２供給樋８７のみが配設されていてもよい。
【００３９】
図１７には、本発明の第３の実施形態としての供給樋部２１が示されている。このように第１供給樋８８の下方に、該第１供給樋８８に平行な第２供給樋８９が配設されていてもよい。この場合、揚送玉排出口６２の近傍に、開口９０が設けられ、第２供給樋８９の傾斜上位側に適宜量のパチンコ玉が落下されるようになっており、第２供給樋８９の傾斜上位側の供給口３３から確実にパチンコ玉が流出されるようになっている。
【００４０】
図１８には、本発明の第４の実施形態としての供給樋部２１が示されている。この供給樋部２１は、前述の第２の実施形態のものと同様であるが、第２供給樋８７にはパチンコ機２の供給口３３のみ配設され、他の玉貸機３、玉受収納部１１（払出装置５０）用の供給口３４、２７は第１供給樋８６に配設されている。揚送樋２２より供給樋部２１内に補給されるパチンコ玉は、通常第２供給樋８７の傾斜下位側より貯留されていくため、多くのパチンコ玉を必要とする遊技機としての例えばパチンコ機２の供給口３３を第２供給樋８７に設置することが好ましい。
【００４１】
図１９には、本発明の第５の実施形態としての供給樋部２１が示されている。この供給樋２１は、前述の第１の実施形態のものと同様であるが、第３供給樋９３により多くのパチンコ玉が貯留されるように第２供給樋９２にも開口９４が形成されている。この開口９４は、上段の第１供給樋９１に形成される開口９４の下方から若干上流方向にずらして設けられているため、第３供給樋９３にパチンコ玉が溜まらなくても、第２供給樋９２にも適宜量のパチンコ玉が流れ、各供給樋９１、９２、９３により平均的にパチンコ玉が流れるようになる。
【００４２】
このように、本発明の実施形態としての供給樋部２１は、パチンコ島台１の上部に階層的に複数設けられることが好ましい。そして各供給樋は前述の実施形態において示されたレイアウトに限られるものでなく、３段以上の供給樋が階層的に配設されてもよく、また、樋としての機能である玉の流下機能を有していれば各々の樋の傾斜方向、その角度等は任意である。ここで特に、発明の説明上使用している「階層的」なる意味は、上下方向に所定の距離をおいて鉛直方向に重なることのみを表現しているのではなく、玉の流れを有する層としての樋が、正面から見て上下方向または一部クロスするように形成された別々の層であるということであり、鉛直方向に樋が重ならないものも含んでいる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、各供給口は、複数の供給樋のうちいずれの供給樋に設けられていてもよく、特に位置が限定されることはない。
【００４５】
また、遊技用装置は前述の実施形態に示されたものに限られず、種々の装置が含まれる。
【００４６】
【発明の効果】
本発明の方法及び装置によれば、次のような効果が得られる。
【００４７】
（ａ）請求項１の発明によれば、供給樋に各遊技機や遊技用装置（例えば玉貸機、払出装置等）に連通する供給口を必要に応じて多数設けられるとともに、多くの遊技機や遊技用装置に十分な玉の供給が可能となる。また、左右方向同位置において供給口を複数設けることが出来るため、個々の供給口近傍に必要な整流スペースを左右方向に十分にとることが出来るようになり、各遊技機や遊技用装置にスムーズに遊技玉を供給出来る。
【００５０】
【図面の簡単な説明】
【図１】本発明の第１の実施形態としてのパチンコ島台を示す斜視図である。
【図２】同じく第１の実施形態としてのパチンコ島台を示す斜視図である。
【図３】第１の実施形態としてのパチンコ島台を示す側面図である。
【図４】図１のパチンコ島台の内部構造図である。
【図５】同じく図１のパチンコ島台の内部構造図である。
【図６】揚送装置の制御部の構造を示す図である。
【図７】揚送玉磨制御マイクロコンピュータの制御方法を示すフローチャート図である。
【図８】（Ａ）は図１のパチンコ島台の供給樋部の断面図であり、（Ｂ）は（Ａ）に対応する作用を示す断面図である。
【図９】図８の供給樋部の平面図である。
【図１０】図１１のＡ−Ａ断面図である。
【図１１】回収樋部の側方断面図である。
【図１２】玉磨装置の拡大断面図である。
【図１３】（Ａ）は図１１における玉排出口の要部拡大断面図であり、（Ｂ）は（Ａ）に対応する作用を示す断面図である
【図１４】揚送樋の断面図である。
【図１５】玉返却用配送管の一部断面図である。
【図１６】本発明の第２の実施形態を示す断面図である。
【図１７】本発明の第３の実施形態を示す断面図である。
【図１８】本発明の第４の実施形態を示す断面図である。
【図１９】本発明の第５の実施形態を示す断面図である。
【図２０】従来例を示す概略図である。
【符号の説明】
１                    パチンコ島台（遊技島台）
２                    パチンコ機（遊技機）
３                    玉貸機
４                    玉計数装置
５                    玉受皿
６ａ、６ｂ            幕板
７                    腰板
８                    情報表示装置
９                    支持板
１０                    あふれ玉通路
１１                    玉受収納部
１２                    玉受用コップ
１４                    上皿
１５                    下皿
１６                    ハンドル
１７                    カード挿入排出口
１８                    計数玉数表示器
１９                    カードリーダライタ
２１                    供給樋部
２２                    揚送樋
２３                    回収樋部
２４                    揚送装置
２５                    第１揚送モータ
２６                    玉磨装置
２７                    供給口
２８                    配送管
２９                    供給管
３０                    供給管
３１                    アウト玉タンク
３３                    供給口
３４                    供給口
３６                    第２揚送モータ
３７                    第１供給樋
３８                    第２供給樋
３９                    第３供給樋
４０                    開口
４１                    第１回収樋
４２                    第２回収樋
４３                    第３回収樋
４４                    第４回収樋
４５                    第５回収樋
４６                    開口
４７                    開口
５０                    払出装置
６２                    揚送玉排出口
６３                    あふれ玉入口
６８                    開口
６９                    玉磨ユニット
１００                  離席ボタン
１０１                  精算ボタン
１０２                  精算端玉ボタン
１０３                  ＬＥＤランプ
【図１】
0004046199.tif 000002
【図２】
0004046199.tif 000003
【図３】
0004046199.tif 000004
【図４】
0004046199.tif 000005
【図５】
0004046199.tif 000006
【図６】
0004046199.tif 000007
【図７】
0004046199.tif 000008
【図８】
0004046199.tif 000009
【図９】
0004046199.tif 000010
【図１０】
0004046199.tif 000011
【図１１】
0004046199.tif 000012
【図１２】
0004046199.tif 000013
【図１３】
0004046199.tif 000014
【図１４】
0004046199.tif 000015
【図１５】
0004046199.tif 000016
【図１６】
0004046199.tif 000017
【図１７】
0004046199.tif 000018
【図１８】
0004046199.tif 000019
【図１９】
0004046199.tif 000020
【図２０】
0004046199.tif 000021